(57)【要約】【課題】上側板ばねとレンズ保持部材との接着が剥がれ難いレンズ駆動装置を提供する。【解決手段】レンズ駆動装置１００は、レンズ保持部材１と、筐体７を含む固定側部材２と、付勢部材３０と、移動機構５０とを備え、付勢部材３０は、上側板ばね５と下側板ばね６とからなり、上側板ばね５は、上側第１部分５ａと上側第２部分５ｂと上側弾性腕部５ｃとを有するレンズ駆動装置において、上側板ばね５の上側第１部分５ａには貫通孔５ｆが設けられており、レンズ保持部材１には、上側板ばね５を載置する載置面１ａと、貫通孔５ｆと対向する凹部１ｂと、貫通孔５ｆに挿通される突出部１ｃとを備えた固定部１ｄが設けられており、凹部１ｂに充填された接着剤ＧＬが、突出部１ｃの周囲に設けられると共に、一部が貫通孔５ｆを介して上側板ばね５の上側第１部分５ａの上面に位置しており、接着剤ＧＬにより上側板ばね５がレンズ保持部材１に固定されている構成とした。【選択図】図１６
2018101152.tif 000002
【特許請求の範囲】
【請求項１】
レンズ体を保持可能な筒状のレンズ保持部材と、前記レンズ保持部材を収容する筐体を含む固定側部材と、前記レンズ保持部材を光軸方向へ移動可能に支持する付勢部材と、前記レンズ保持部材を光軸方向に沿って移動させる少なくとも磁石及びコイルを有して構成される移動機構とを備え、
前記付勢部材は、前記レンズ保持部材の上部に固定される上側板ばねと下部に固定される下側板ばねとからなり、
前記上側板ばねは、前記レンズ保持部材に固定される第１部分と、前記固定側部材に固定される第２部分と、前記第１部分と第２部分との間に位置する弾性腕部とを有するレンズ駆動装置において、
前記上側板ばねの第１部分には貫通孔が設けられており、
前記レンズ保持部材には、前記上側板ばねを載置する載置面と、前記載置面に対して凹形状に形成され前記貫通孔と対向する凹部と、前記凹部から突出し前記貫通孔に挿通される突出部とを備えた固定部が設けられており、
前記凹部に充填された接着剤が、前記突出部の周囲に設けられると共に、前記接着剤の一部が前記貫通孔を介して前記上側板ばねの第１部分の上面に位置しており、前記接着剤により前記上側板ばねが前記レンズ保持部材に固定されていることを特徴とするレンズ駆動装置。
【請求項２】
前記貫通孔は、非円形状をなしていることを特徴とする請求項１に記載のレンズ駆動装置。
【請求項３】
前記レンズ保持部材には、前記固定部を有する台部が突出して形成されており、前記上側板ばねの第１部分と前記弾性腕部との境界部が、前記台部の外縁部に対応した位置に設けられていることを特徴とする請求項１または請求項２に記載のレンズ駆動装置。
【請求項４】
前記凹部は、前記弾性腕部側に向かって延在する延在部を有すると共に、前記貫通孔は、前記延在部に対向する縁部を有して形成されており、
前記延在部に充填された接着剤が、前記縁部に沿って位置する前記第１部分の上面および下面に設けられていることを特徴とする請求項１ないし請求項３のいずれかに記載のレンズ駆動装置。
【請求項５】
前記コイルに電流を通電しない初期状態において、前記上側板ばねは前記レンズ保持部材を上方側に付勢していると共に、前記下側板ばねは前記レンズ保持部材を下方側に付勢していることを特徴とする請求項１ないし請求項４のいずれかに記載のレンズ駆動装置。
【発明の詳細な説明】
【技術分野】
【０００１】
本発明は、レンズ駆動装置に関し、特に、上側板ばねとレンズ保持部材とが接着されたレンズ駆動装置に関するものである。
【背景技術】
【０００２】
昨今、写真や動画の撮影機能を備えた携帯機器が多い。このような携帯機器には被写体の撮影時に撮影画像の焦点を自動で合わせるために、レンズ体を駆動させるレンズ駆動装置が内蔵されている。携帯機器に用いられるレンズ駆動装置としては、下記の特許文献１に記載のレンズ駆動装置が知られている。
【０００３】
以下、図２０を用いて、特許文献１に記載のレンズ駆動装置について説明する。図２０は、特許文献１に記載のレンズ駆動装置９００の構成を示す分解斜視図である。
【０００４】
特許文献１に記載のレンズ駆動装置９００は、レンズ体を保持可能なレンズ保持部材９１２とレンズ保持部材９１２を光軸方向へ移動可能に支持する付勢部材と付勢部材の一部を固定する固定部材９１１と、磁石９１５、コイル９１３及びヨーク９１４を有した移動機構９１０とを備え、付勢部材が上側板ばね９１６と下側板ばね９１７とからなる。また、コイル９１３はレンズ保持部材９１２の周囲に巻回されており、磁石９１５の磁界の中に配設されたコイル９１３に電流を流すことで、コイル９１３には所定の方向に向いた電磁力が働く。コイル９１３に働く電磁力により、コイル９１３が巻回されたレンズ保持部材９１２は移動させられる。このようにレンズ保持部材９１２が移動することで、レンズ駆動装置９００を搭載した携帯機器は撮影画像の焦点を合わせることができる。また、レンズ駆動装置９００は、レンズ保持部材９１２を上側板ばね９１６と下側板ばね９１７とで、初期状態においては中立位置に保持させている。
【先行技術文献】
【特許文献】
【０００５】
【特許文献１】実用新案登録第３１８３１０１号公報
【発明の概要】
【発明が解決しようとする課題】
【０００６】
特許文献１に記載のレンズ駆動装置９００は、初期状態においては中立位置に保持させるために、上側板ばね９１６はレンズ保持部材９１２を上方側へ、下側板ばね９１７はレンズ保持部材９１２を下方側へ付勢している。また、上側板ばね９１６とレンズ保持部材９１２とが、接着により固定されている。そのため、誤って落としてしまった場合などに衝撃が加わると、上側板ばね９１６とレンズ保持部材９１２との接着が剥がれる恐れがある。
【０００７】
本発明は、上述した課題を解決して、上側板ばねとレンズ保持部材との接着が剥がれ難いレンズ駆動装置を提供するものである。
【課題を解決するための手段】
【０００８】
請求項１に記載のレンズ駆動装置においては、レンズ体を保持可能な筒状のレンズ保持部材と、前記レンズ保持部材を収容する筐体を含む固定側部材と、前記レンズ保持部材を光軸方向へ移動可能に支持する付勢部材と、前記レンズ保持部材を光軸方向に沿って移動させる少なくとも磁石及びコイルを有して構成される移動機構とを備え、前記付勢部材は、前記レンズ保持部材の上部に固定される上側板ばねと下部に固定される下側板ばねとからなり、前記上側板ばねは、前記レンズ保持部材に固定される第１部分と、前記固定側部材に固定される第２部分と、前記第１部分と第２部分との間に位置する弾性腕部とを有するレンズ駆動装置において、前記上側板ばねの第１部分には貫通孔が設けられており、前記レンズ保持部材には、前記上側板ばねを載置する載置面と、前記載置面に対して凹形状に形成され前記貫通孔と対向する凹部と、前記凹部から突出し前記貫通孔に挿通される突出部とを備えた固定部が設けられており、前記凹部に充填された接着剤が、前記突出部の周囲に設けられると共に、前記接着剤の一部が前記貫通孔を介して前記上側板ばねの第１部分の上面に位置しており、前記接着剤により前記上側板ばねが前記レンズ保持部材に固定されている、という特徴を有する。
【０００９】
請求項２に記載のレンズ駆動装置においては、前記貫通孔は、非円形状をなしている、という特徴を有する。
【００１０】
請求項３に記載のレンズ駆動装置においては、前記レンズ保持部材には、前記固定部を有する台部が突出して形成されており、前記上側板ばねの第１部分と前記弾性腕部との境界部が、前記台部の外縁部に対応した位置に設けられている、という特徴を有する。
【００１１】
請求項４に記載のレンズ駆動装置においては、前記凹部は、前記弾性腕部側に向かって延在する延在部を有すると共に、前記貫通孔は、前記延在部に対向する縁部を有して形成されており、前記延在部に充填された接着剤が、前記縁部に沿って位置する前記第１部分の上面および下面に設けられている、という特徴を有する。
【００１２】
請求項５に記載のレンズ駆動装置においては、前記コイルに電流を通電しない初期状態において、前記上側板ばねは前記レンズ保持部材を上方側に付勢していると共に、前記下側板ばねは前記レンズ保持部材を下方側に付勢している、という特徴を有する。
【発明の効果】
【００１３】
請求項１の発明によれば、凹部に充填された接着剤と貫通孔を介して上側板ばねの第１部分の上面に位置する接着剤とにより上側板ばねを接着することで、上側板ばねは下面、貫通孔の内面および上側板ばねの上面を接着剤により保持されるため、落下などによる衝撃が加わったとしても接着は剥がれ難くなっている。また、貫通孔に挿通される突出部を、レンズ保持部材の固定部に設けることによって、突出部の周囲に充填された接着剤を突出部で保持することができるため、接着剤が第１部分の上面に回りやすくなる。したがって、上側板ばねとレンズ保持部材との接着が剥がれ難いレンズ駆動装置を提供することができる、という効果を奏する。
【００１４】
請求項２の発明によれば、貫通孔が非円形状をしているので、接着剤との接着面積を円形状の場合よりも大きくできることから、より強固な接着固定が可能となる、という効果を奏する。
【００１５】
請求項３の発明によれば、上側板ばねの第１部分と弾性腕部との境界部が、台部の外縁部に対応した位置に設定することで、弾性腕部が動作するときに、弾性腕部と台部とが接触し、弾性腕部の動作が規制され難くなり、機能が損なわれることがなくなる。これにより、ばらつきの少ない付勢力を得ることが可能となり、動作の安定したレンズ駆動装置を提供することができる、という効果を奏する。
【００１６】
請求項４の発明によれば、凹部に延在部を設けるとともに貫通孔に延在部に対向する縁部を設けたことで、接着剤が充填された延在部の一部に重ねて縁部を配置したときに、縁部の近傍に位置する第１部分によって押しつぶされた接着剤が縁部を含めた第１部分の上面側に回りこみやすくなる。また、縁部を設けることで接着面積を大きくすることができる。したがって、第１部分は接着面積が大きくなるとともに上面および下面を接着剤により保持されるため、第１部分の端部を確実にレンズ保持部材の固定部に接着でき、弾性腕部の根本に位置する部分が固定される。これにより、弾性腕部の動作に伴う第１部分の浮き上がりがなくなるため、第１部分の浮き上がりによる付勢力のばらつき発生を防止することができる。したがって、さらにばらつきの少ない付勢力を得ることが可能となり、さらに動作の安定したレンズ駆動装置を提供することができる、という効果を奏する。
【００１７】
請求項５の発明によれば、初期状態において、レンズ保持部材は上側板ばねの付勢力と下側板ばねの付勢力とが釣り合った位置に保持される。レンズ保持部材がこのように保持されることで、レンズ保持部材は初期状態における位置から、光軸方向のどちらの方向にも移動可能である。したがって、レンズ駆動装置が取り付けられた電子機器を用いて撮影する際に、初期状態からのレンズ保持部材の移動量を少なくして、焦点を合わせることができる、という効果を奏する。
【００１８】
以上より、本発明によれば、上側板ばねとレンズ保持部材との接着が剥がれ難いレンズ駆動装置を提供することができる。
【図面の簡単な説明】
【００１９】
【図１】第１実施形態におけるレンズ駆動装置１００の構成を示す分解斜視図である。
【図２】第１実施形態におけるレンズ駆動装置１００の外観を示す図で、図２（ａ）はレンズ駆動装置１００の外観を示す斜視図であり、図２（ｂ）は図２（ａ）に示すＺ１方向側から見た状態のレンズ駆動装置１００を示す平面図である。
【図３】第１実施形態におけるレンズ保持部材１を示す図で、図３（ａ）はレンズ保持部材１の外観を示す斜視図であり、図３（ｂ）は図３（ａ）に示すＺ２方向側から見た状態のレンズ保持部材１の外観を示す斜視図である。
【図４】図３（ａ）に示すＢ部を示す図であり、図４（ａ）はＢ部を拡大した斜視図であり、図４（ｂ）は図４（ａ）に示すＺ１方向側から見た状態のＢ部を示す平面図である。
【図５】第１実施形態におけるコイル４がレンズ保持部材１に保持された状態を示す図であり、図５（ａ）はコイル４がレンズ保持部材１に保持された状態を示す斜視図であり、図５（ｂ）はコイル４がレンズ保持部材１に保持された状態を図５（ａ）に示すＺ２方向側から見た状態を示す斜視図であり、図５（ｃ）は図５（ｂ）に示すＣ部を拡大した斜視図である。
【図６】第１実施形態における上側板ばね５を示す図であり、図６（ａ）は上側板ばね５の外観を示す斜視図であり、図６（ｂ）は図６（ａ）に示すＤ部をＺ１方向側見た状態を拡大して示す平面図である。
【図７】第１実施形態における下側板ばね６を示す図であり、図７（ａ）は下側板ばね６の外観を示す斜視図であり、図７（ｂ）は図７（ａ）に示すＺ１方向側から見た状態の下側板ばね６を示す平面図である。
【図８】第１実施形態における筐体７を示す図であり、図８（ａ）は筐体７の外観を示す斜視図であり、図８（ｂ）は図８（ａ）に示すＺ２方向側から見た状態の筐体７を示す平面図である。
【図９】第１実施形態におけるベース部材８の外観を示す斜視図である。
【図１０】図２に記載の断面Ｆ−Ｆを示す模式断面図である。
【図１１】第１実施形態におけるレンズ保持部材１と下側板ばね６との固定状態を示す図であり、図１１（ａ）はレンズ保持部材１と下側板ばね６との固定状態を示す平面図であり、図１１（ｂ）は図１１（ａ）に示すＫ部をＸ１方向側から見た状態を示す模式側面図である。
【図１２】第１実施形態における下側板ばね６とベース部材８との連結方法を示す平面図である。
【図１３】図２に記載の断面Ａ−Ａを示す模式断面図である。
【図１４】第１実施形態における載置面１ａ上に載置された上側第１部分５ａを示す図であり、図１４（ａ）は載置面１ａ上に載置された上側第１部分５ａを示す平面図であり、図１４（ｂ）は図１４（ａ）に示すＸ１方向側から見た状態の載置面１ａ上に載置された上側第１部分５ａを示す側面図である。
【図１５】第１実施形態における上側第１部分５ａが載置面１ａに接着された状態を示す図であり、図１５（ａ）は上側第１部分５ａが載置面１ａに接着された状態を示す斜視図であり、図１５（ｂ）は図１５（ａ）に示すＺ１方向側から見た状態の載置面１ａに接着された上側第１部分５ａを示す平面図である。
【図１６】図１５（ｂ）に記載の断面Ｈ−Ｈを示す断面図である。
【図１７】図１３に示すＧ部をＺ１方向側から見た内壁部７ｂ、コイル４および磁石３の位置関係を示す模式図である。
【図１８】第１実施形態におけるレンズ保持部材１が上方へ移動した状態のレンズ駆動装置１００を示す模式断面図である。
【図１９】第１実施形態におけるレンズ保持部材１が下方へ移動した状態のレンズ駆動装置１００を示す模式断面図である。
【図２０】特許文献１に記載のレンズ駆動装置９００の構成を示す分解斜視図である。
【発明を実施するための形態】
【００２０】
［第１実施形態］
以下に第１実施形態におけるレンズ駆動装置１００について説明する。
【００２１】
まず始めに本実施形態におけるレンズ駆動装置の構成について図１ないし図９を用いて説明する。図１は第１実施形態におけるレンズ駆動装置１００の構成を示す分解斜視図である。図２は第１実施形態におけるレンズ駆動装置１００の外観を示す図で、図２（ａ）はレンズ駆動装置１００の外観を示す斜視図であり、図２（ｂ）は図２（ａ）に示すＺ１方向側から見た状態のレンズ駆動装置１００を示す平面図である。図３は第１実施形態におけるレンズ保持部材１を示す図で、図３（ａ）はレンズ保持部材１の外観を示す斜視図であり、図３（ｂ）は図３（ａ）に示すＺ２方向側から見た状態のレンズ保持部材１の外観を示す斜視図である。図４は図３（ａ）に示すＢ部を示す図であり、図４（ａ）はＢ部を拡大した斜視図であり、図４（ｂ）は図４（ａ）に示すＺ１方向側から見た状態のＢ部を示す平面図である。図５は第１実施形態におけるコイル４がレンズ保持部材１に保持された状態を示す図であり、図５（ａ）はコイル４がレンズ保持部材１に保持された状態を示す斜視図であり、図５（ｂ）はコイル４がレンズ保持部材１に保持された状態を図５（ａ）に示すＺ２方向側から見た状態を示す斜視図であり、図５（ｃ）は図５（ｂ）に示すＣ部を拡大した斜視図である。図６は第１実施形態における上側板ばね５を示す図であり、図６（ａ）は上側板ばね５の外観を示す斜視図であり、図６（ｂ）は図６（ａ）に示すＤ部をＺ１方向側見た状態を拡大して示す平面図である。図７は第１実施形態における下側板ばね６を示す図であり、図７（ａ）は下側板ばね６の外観を示す斜視図であり、図７（ｂ）は図７（ａ）に示すＺ１方向側から見た状態の下側板ばね６を示す平面図である。図８は第１実施形態における筐体７を示す図であり、図８（ａ）は筐体７の外観を示す斜視図であり、図８（ｂ）は図８（ａ）に示すＺ２方向側から見た状態の筐体７を示す平面図である。図９は第１実施形態におけるベース部材８の外観を示す斜視図である。
【００２２】
レンズ駆動装置１００は、図１に示すように、レンズ保持部材１と、筐体７およびベース部材８からなる固定側部材２と、少なくとも磁石３及びコイル４を有して構成される移動機構５０と、上側板ばね５および下側板ばね６からなる付勢部材３０とを備え、図２に示すように、略直方体状に形成され、レンズ保持部材１を光軸方向ＬＤ（Ｚ１−Ｚ２方向）へ移動させることができる。
【００２３】
レンズ保持部材１は合成樹脂材からなり、図３に示すように、レンズ体を保持可能な筒状に形成されている。レンズ保持部材１は、円筒状に形成された筒状部１ｈを有する。筒状部１ｈは、両端が開放され中空の開口部１ｇを有している。なお、開口部１ｇの内周壁に沿ってレンズ体を保持するためのネジ山が形成されている。また、筒状部１ｈの外周面には、外方へ向かって突出したコイル保持部１ｑが等間隔に４箇所設けられている。なお、本実施形態においては、筒状部１ｈのＸ１−Ｘ２方向の両側、およびＹ１−Ｙ２方向の両側に設けられている。また、筒状部１ｈの一端側（Ｚ１方向側）には、端部の外周面から離れる方向へ延設された上側板ばね配置部１ｋが形成されている。上側板ばね配置部１ｋは開口部１ｇを挟んで対向する位置に１箇所ずつ設けられており、本実施形態においては、Ｘ１−Ｘ２方向の両端部に、コイル保持部１ｑに連続してそれぞれ１箇所ずつ設けられている。また、上側板ばね配置部１ｋの上面には、図４に示すように、上方（Ｚ１方向）へ突出して台部１ｅが形成されており、台部１ｅは固定部１ｄを有する。固定部１ｄは、平坦な面状に形成された上面である載置面１ａと、載置面１ａに対して凹形状に形成された凹部１ｂと、凹部１ｂから円柱状に突出した突出部１ｃとを備えて設けられている。なお、Ｙ１方向側に配置された凹部１ｂは、凹形状に形成されＹ１方向へ延在する延在部１ｆを有するとともに、Ｙ２方向側に配置された凹部１ｂは、凹形状に形成されＹ２方向へ延在する延在部１ｆを有する。また、固定部１ｄは、載置面１ａ上の凹部１ｂ同士に挟まれた箇所に、直方体状に上方へ突出した規制突起１ｒを有する。
【００２４】
また、レンズ保持部材１は、図３に示すように、筒状部１ｈの他端側（Ｚ２方向側）に、端部の外周面から離れる方向へ延設された鍔部１ｍを有している。鍔部１ｍは筒状部１ｈのほぼ全周にわたって設けられている。鍔部１ｍを含めて筒状部１ｈの他端側の端面には、下側保持突起１ｎと巻回用突起１ｐとが形成されている。下側保持突起１ｎは、円柱状に光軸方向ＬＤに沿って（Ｚ２方向へ向かって）突出して設けられ、開口部１ｇを挟んで対向する位置（図３においてはＹ１方向側とＹ２方向側）にそれぞれ２箇所ずつ設けられている。また、巻回用突起１ｐは開口部１ｇを挟んで対向する位置（図３においてはＸ１方向側とＸ２方向側）に、直方体状に光軸方向ＬＤに沿って（Ｚ２方向へ向かって）突出して、それぞれ１箇所ずつ設けられている。
【００２５】
コイル４は導電性を備えた金属線材からなり、図１に示すように、筒の外周に沿って巻回されたように形成された巻回部４ａを有し、金属線材の両側の端部４ｂは巻回部４ａから延出して設けられている。なお、巻回部４ａを形成する部分の金属線材は、表面が非導電性の材料により被覆されており、巻回された箇所同士は、金属線材の表面においては絶縁され、コイルに電流を流した場合には、電流は金属線材に沿って周回するように流れる。なお、本実施形態においては、図５に示すように、コイル４はレンズ保持部材１のコイル保持部１ｑに金属線材が巻かれて形成される。すなわち、レンズ保持部材１の外周に金属線材が巻かれて巻回部４ａが形成される。なお、巻回部４ａを上方（Ｚ１方向側）から見たときに、巻回部４ａは、第１の長さＬ１の短辺と、第１の長さＬ１より長い第２の長さＬ２の長辺を交互につなげた八角形状に形成されている。巻回部４ａの長辺に当たる箇所はコイル保持部１ｑに接触し、巻回部４ａの短辺に当たる箇所は筒状部１ｈとの間に隙間を有している。また、コイル４の端部４ｂは、それぞれレンズ保持部材１の巻回用突起１ｐに巻かれて保持される。巻回用突起１ｐに巻かれて保持されたコイル４の端部４ｂの先端は巻回用突起１ｐに、接着剤等で止められている、金属線材が樹脂に埋め込まれている、等の方法で、巻きつけた金属線材がほつれないようにする手当てが施されている。なお、巻き始めにおいては、巻回用突起１ｐに接した状態で並べた端部４ｂの先端部を、巻回用突起１ｐとともに、その周囲に先端部以外の箇所を巻きつけることで押さえる方法であっても良い。また、巻回用突起１ｐに巻かれたコイル４の端部４ｂが、巻回用突起１ｐの根元部側から延出して巻回部４ａと繋がっている。
【００２６】
付勢部材３０は、図１に示すように、上側板ばね５と下側板ばね６とからなる。上側板ばね５は金属薄板からなり、図６に示すように、上側第１部分５ａ（第１部分）と、上側第２部分５ｂ（第２部分）と、上側第１部分５ａと上側第２部分５ｂとの間に位置する上側弾性腕部５ｃ（弾性腕部）とを有する。なお、上側第２部分５ｂは上側第１部分５ａの外側に配置されている。上側第１部分５ａは、略長方形状に形成された基部５ｄを有している。上側第１部分５ａの基部５ｄには両側（Ｙ１方向側とＹ２方向側）に貫通孔５ｆが設けられるとともに、貫通孔５ｆに挟まれた部分に切り欠きされた切り欠き部５ｇが設けられている。なお、貫通孔５ｆ同士の間隔は、レンズ保持部材１の突出部１ｃ同士の間隔とほぼ同じであり、貫通孔５ｆは突出部１ｃを挿入可能な大きさに形成されている。なお、貫通孔５ｆは、凹凸のある非円形状をなしており、本実施形態においては、図６（ｂ）に示すＥ部に縁部５ｅを有して形成されている。また、切り欠き部５ｇは規制突起１ｒを配置可能な大きさに切りかかれている。なお、上側第１部分５ａは、レンズ保持部材１の開口部１ｇの直径と同等の間隔を空けるとともに、切り欠き部５ｇを互いに逆方向に向けて対向する位置にそれぞれ設けられている。上側第２部分５ｂは長方形の環状に形成されている。また、上側第２部分５ｂは、長方形の四隅の部分に、環状の内側へ延設され、略三角形状に形成された固定部５ｈを有する。上側弾性腕部５ｃは蛇行した線状に形成され、上側第１部分５ａと、上側第２部分５ｂの固定部５ｈとを繋いで設けられている。なお、上側弾性腕部５ｃは弾性を備えており、例えば、上側第２部分５ｂを固定した場合に、上側弾性腕部５ｃが撓むことで、上側第１部分５ａは上下方向に移動可能である。
【００２７】
下側板ばね６は金属薄板からなり、図７に示すように、線対称形状に形成された第１部材６Ａと第２部材６Ｂとからなり、第１部材６Ａと第２部材６Ｂとを並べて配置することで、長方形の環状に形成される。以下に説明する部位は第１部材６Ａと第２部材６Ｂとの両方にあるものとして、特別に断らない限りは第１部材６Ａおよび第２部材６Ｂを区別することなく、下側板ばね６として説明する。下側板ばね６は、下側第１部分６ａと、下側第２部分６ｂと、下側第１部分６ａと下側第２部分６ｂとの間に位置する下側弾性腕部６ｃとを有する。なお、第１部材６Ａと第２部材６Ｂとは、下側第１部分６ａ同士が対向するとともに、下側第２部分６ｂは下側第１部分６ａの外側となるように配置されている。下側第１部分６ａは円弧状に形成され、中央部に長方形の板状に形成された第１保持部６ｄを有し、両端部に略三角形の板状に形成された第２保持部６ｅを有し、第１保持部６ｄと第２保持部６ｅとは湾曲した線状に形成された部位により連結されている。第２保持部６ｅは、レンズ保持部材１の下側保持突起１ｎを挿通可能な第１保持孔６ｆを、それぞれ有している。下側第２部分６ｂは直線状に形成され、両端に平板状に形成された第３保持部６ｇを有し、第３保持部６ｇ同士は桟部６ｈにより連結されている。また、第３保持部６ｇには、それぞれ貫通した孔である第２保持孔６ｋが形成されている。なお、一端側（Ｙ２方向側）に形成された第２保持孔６ｋは円形であり、他端側（Ｙ１方向側）に形成された第２保持孔６ｋは非円形状（略六角形）に形成されている。下側弾性腕部６ｃは蛇行した線状に形成され、下側第１部分６ａの第２保持部６ｅと下側第２部分６ｂの第３保持部６ｇとを繋いで設けられている。なお、一端側に配置された下側弾性腕部６ｃと第１保持部６ｄとの間には、レンズ保持部材１の巻回用突起１ｐを挿通可能な間隔が取られている。このように形成された第１部材６Ａと第２部材６Ｂとは、互いの第２保持部６ｅ同士が向き合うように配置され、下側第１部分６ａは、直径がレンズ保持部材１の筒状部１ｈの直径と同程度の円形状を形成する。なお、第１部材６Ａの第１保持孔６ｆと第２部材６Ｂの第１保持孔６ｆとの離間距離は、レンズ保持部材１の下側保持突起１ｎ同士の離間距離と同じ距離である。なお、下側弾性腕部６ｃは弾性を備えており、例えば、下側第２部分６ｂを固定した場合に、下側弾性腕部６ｃが撓むことで、下側第１部分６ａは上下方向に移動可能である。
【００２８】
固定側部材２は、図１に示すように、ベース部材８および筐体７を含んで形成される。筐体７は磁性を有する金属板からなり、図８に示すように、内部が中空で略直方体状に形成されるとともに、下方が開放されている。筐体７は、環状の外壁部７ａと、外壁部７ａの内側に位置する４つの内壁部７ｂと、外壁部７ａと内壁部７ｂとを間隔をあけて連結する天板部７ｃとを有し、外壁部７ａと内壁部７ｂとは天板部７ｃに対して垂直で同一な方向（Ｚ２方向）へ突出して設けられている。四方の外壁部７ａはそれぞれ交差し、交差する箇所にはそれぞれ角部７ｄが形成されている。内壁部７ｂは、外壁部７ａの内側であり、角部７ｄに対向する位置にそれぞれ設けられている。内壁部７ｂは、Ｚ１-Ｚ２方向からの平面視にて、それぞれ角部７ｄに向かって凸となるように湾曲して形成されており、円弧形状をなして配置されている。また、内壁部７ｂは、天板部７ｃの一部を板金加工して形成されており、天板部７ｃの中央には平面視にて内壁部７ｂがなす円弧形状に沿うように貫通孔部７ｅが形成されている。貫通孔部７ｅはレンズ保持部材１の筒状部１ｈを挿通可能な直径であるとともに、内壁部７ｂがなす円弧形状の直径はコイル４の巻回部４ａの大きさ（対向して配置される短辺間の間隔）よりも小さい。また、貫通孔部７ｅを挟んで対向する箇所、本実施形態においてはＸ１−Ｘ２方向において対向する位置に、貫通孔部７ｅに連続して切り欠かれた切り欠き部７ｇが形成されている。切り欠き部７ｇは、片側にそれぞれ２ヶ所ずつ並べて形成されている。また、天板部７ｃの四隅には、板金加工により下方へ突出して形成された突起部７ｆが設けられており、突起部７ｆの突出方向の先端部は天板部７ｃに対して平行でかつ同じ高さの平面状に形成されている。
【００２９】
ベース部材８は合成樹脂材からなり、図９に示すように、下方（Ｚ２方向）から平面視するとその外形は長方形状であり、中央に円形状の貫通した孔である開口孔部８ａを有した環状に形成されている。ベース部材８は上面の四隅に、それぞれ平面状に形成された載置部８ｃを有し、載置部８ｃには、Ｚ１方向へ突出した取り付け突起８ｂを有している。また、取り付け突起８ｂは、下側板ばね２の第２保持孔６ｋに挿通可能な大きさに形成されるとともに、第２保持孔６ｋの配置に対応して配置されている。また、ベース部材８には金属板材からなる金属部材９が一部露出した状態で埋設されている。ベース部材８の他方側（Ｙ２方向側）に設けられた載置部８ｃには、金属部材９の一部である第１接続面部９ａと第２接続面部９ｂとが露出して設けられている。第１接続面部９ａはＸ１方向側の載置部８ｃに露出し、第２接続面部９ｂはＸ２方向側の載置部８ｃに露出しており、第１接続面部９ａと第２接続面部９ｂとは絶縁されている。また、ベース部材８の下面の他方側の端部には、金属部材９の一部である第１接続端子部９ｃと第２接続端子部９ｄとが下方へ突出して設けられている。第１接続端子部９ｃは下面のＸ１方向側から突出し、第２接続端子部９ｄは下面のＸ２方向側から突出して形成されている。なお、第１接続面部９ａと第１接続端子部９ｃとは電気的に接続されるとともに、第２接続面部９ｂと第２接続端子部９ｄとは電気的に接続されている。また、ベース部材８の四隅には金属部材９の一部である保持部９ｅが露出している。保持部９ｅは第１接続面部９ａおよび第２接続面部９ｂとは絶縁されている。
【００３０】
磁石３は筐体７の内壁部７ｂ、角部７ｄ、および角部７ｄに連続する外壁部７ａに挟まれた空間に配置可能に形成され、図１に示すように、Ｚ１方向から平面視したときに斜辺の長さが等しい略台形の柱状に形成されている。なお、台形の短辺に対応する面を第１面３ａ、斜辺に対応する面を第２面３ｂ、長辺に対応する面を第３面３ｃとする。第１面３ａは筐体７の角部７ｄの内面形状に一致するように形成され、第２面３ｂは外壁部７ａの内面形状に一致するように形成され、第３面３ｃは、台形の長辺に対応する長さが第１の長さＬ１（図５参照）よりも短く形成されている。
【００３１】
次にレンズ駆動装置１００の構造について図２、図５、および図１０ないし図１６を用いて説明する。図１０は図２に記載の断面Ｆ−Ｆを示す模式断面図である。図１１は第１実施形態におけるレンズ保持部材１と下側板ばね６との固定状態を示す図であり、図１１（ａ）はレンズ保持部材１と下側板ばね６との固定状態を示す平面図であり、図１１（ｂ）は図１１（ａ）に示すＫ部をＸ１方向側から見た状態を示す模式側面図である。図１２は第１実施形態における下側板ばね６とベース部材８との連結方法を示す平面図である。図１３は図２に記載の断面Ａ−Ａを示す模式断面図である。図１４は第１実施形態における載置面１ａ上に載置された上側第１部分５ａを示す図であり、図１４（ａ）は載置面１ａ上に載置された上側第１部分５ａを示す平面図であり、図１４（ｂ）は図１４（ａ）に示すＸ１方向側から見た状態の載置面１ａ上に載置された上側第１部分５ａを示す側面図である。図１５は第１実施形態における上側第１部分５ａが載置面１ａに接着された状態を示す図であり、図１５（ａ）は上側第１部分５ａが載置面１ａに接着された状態を示す斜視図であり、図１５（ｂ）は図１５（ａ）に示すＺ１方向側から見た状態の載置面１ａに接着された上側第１部分５ａを示す平面図である。図１６は図１５（ｂ）に記載の断面Ｈ−Ｈを示す断面図である。
【００３２】
図５に示すように、コイル４はレンズ保持部材１の筒状部１ｈの周囲に巻かれて巻回部４ａを形成するとともに、コイル４の端部４ｂは巻回用突起１ｐに巻かれて保持されている。また、図１０に示すように、下側板ばね６はレンズ保持部材１の鍔部１ｍの下部（Ｚ２方向側）に固定される。このとき、図１１に示すように、レンズ保持部材１の下側保持突起１ｎを下側板ばね６の第１保持孔６ｆに挿通し、下側保持突起１ｎをかしめる。また、このとき、コイル４の端部４ｂが巻かれた巻回用突起１ｐは下側第１部分６ａに僅かな隙間を空けて、図１１においては、下側第１部分６ａのＹ２方向側に配置される。巻回用突起１ｐに巻かれたコイル４の端部４ｂは下側第１部分６ａと半田ＳＤにより固定される。したがって、下側板ばね６の第１部材６Ａと第２部材６Ｂとは、それぞれレンズ保持部材１に３箇所で固定される。また、ベース部材８は、図１０に示すように、下側板ばね６の下方に配置され、下側板ばね６と連結される。このとき、図１２に示すように、下側板ばね６はベース部材８の載置部８ｃ上に載置され、ベース部材８の取り付け突起８ｂはそれぞれ対応する第２保持孔６ｋに挿入される。第２保持孔６ｋに挿入された取り付け突起８ｂをかしめることで、下側板ばね６の下側第２部分６ｂとベース部材８とは連結される。また、下側板ばね６は、載置部８ｃ上に載置されることで第１接続面部９ａおよび第２接続面部９ｂに接触するとともに、溶接ＷＰにより固定される。このように、下側板ばね６を介してベース部材８に連結されたレンズ保持部材１は、ベース部材８が動かず固定されるとすると、下側板ばね６の付勢力により下方へ付勢されるとともに、図１０に示す光軸方向ＬＤ（Ｚ１−Ｚ２方向）へ移動可能に支持される。また、このような構成とすることで、コイル４および下側板ばね６を介して、第１接続端子部９ｃ（図９参照）と第２接続端子部９ｄ（図９参照）とは電気的に接続される。
【００３３】
上側板ばね５は、図１３に示すように、筐体７の内側に配置される。このとき、上側板ばね５は、上側第２部分５ｂが天板部７ｃに設けられた突起部７ｆ（図８参照）と接触するように、筐体７の外壁部７ａ（図８参照）と内壁部７ｂとの間に収められる。磁石３は、第１面３ａ（図１参照）を筐体７の角部７ｄに接触させるとともに、第２面３ｂ（図１参照）を角部７ｄの両側に連続する外壁部７ａに接触させた状態で、筐体７の４つの角部７ｄの内側にそれぞれ配置される。また、磁石３は上側板ばね５の固定部５ｈを筐体７の天板部７ｃ（突起部７ｆ）とで挟持した状態で筐体７に接着され固定される。これにより、上側板ばね５は上側第２部分５ｂが固定側部材２の一部である筐体7に固定される。このように磁石３及び上側板ばね５が固定された筐体７は、レンズ保持部材１を内部に収容するようにベース部材８に重ねて配置される。このとき、筐体７の内壁部７ｂはレンズ保持部材１の筒状部１ｈとコイル４との隙間に挿入されるとともに、コイル４は内壁部７ｂと磁石３との間に挿入される。なお、隣り合う筒状部１ｈ、内壁部７ｂ、コイル４および磁石３はそれぞれ離間している。このように内壁部７ｂ、コイル４および磁石３が配置されることで、本実施形態においては、ヨークとして機能する筐体７、磁石３及びコイル４を有して構成される移動機構５０が形成される。また、図１０に示すように、レンズ保持部材１の上部に固定される上側板ばね５は、上側第１部分５ａに対応してレンズ保持部材１の開口部１ｇを挟んで対向する位置にそれぞれ設けられた載置面１ａ（固定部１ｄ、図４参照）に上側第１部分５ａが載置され、紫外線硬化型接着剤を用いた接着により取り付けられる。このように取り付けられた上側板ばね５はレンズ保持部材１を上方側に付勢する。
【００３４】
なお、以下に、載置面１ａと上側第１部分５ａとの接着に関して説明する。上側第１部分５ａは、図１４に示すように、貫通孔５ｆに突出部１ｃを挿通させるとともに、貫通孔５ｆと凹部１ｂとが対向するように載置面１ａ上に載置される。このように載置されることで、延在部１ｆは上側弾性腕部５ｃ側に向かって延在するとともに、縁部５ｅは延在部１ｆに対向するように配置される。また、上側板ばね５の上側第１部分５ａと上側弾性腕部５ｃとの境界部（図１４（ｂ）に破線で示す）が、台部１ｅの外縁部に対応した位置に設けられている。実際に載置する場合には、図１５に示すような紫外線硬化型接着剤である接着剤ＧＬが、凹部１ｂの突出部１ｃの周囲に充填されている。このように接着剤ＧＬが凹部１ｂに充填された状態で、上側第１部分５ａを載置面１ａ上に載置すると、図１５に示すように、突出部１ｃ（図１４参照）が接着剤ＧＬに覆われた状態で接着される。すなわち、図１６に示すように、凹部１ｂに充填された接着剤ＧＬが、突出部１ｃの周囲に設けられると共に、接着剤ＧＬの一部が貫通孔５ｆを介して上側板ばね５の上側第１部分５ａの上面に位置している。このように位置した接着剤ＧＬに紫外線を照射することで接着剤ＧＬは硬化し、接着剤ＧＬにより上側板ばね５がレンズ保持部材１に固定されている。また、同時に、延在部１ｆに充填された接着剤ＧＬが、縁部５ｅに沿って位置する上側第１部分５ａの上面および下面に設けられている。このように、上側第１部分５ａは接着剤ＧＬにより下面をレンズ保持部材１の載置面１ａ（固定部１ｄ、図４参照）に接着されるとともに、上面も接着剤ＧＬにより保持されている。なお、このように上側第１部分５ａをレンズ保持部材１の載置面１ａ（固定部１ｄ、図４参照）に接着した接着剤ＧＬは、図２に示すように、切り欠き部７ｇを介して上方に向かって開放された位置に配置されており、紫外線は切り欠き部７ｇを通して接着剤ＧＬに照射される。
【００３５】
このようにしてレンズ駆動装置１００は形成されている。
【００３６】
次にレンズ駆動装置１００の動作について図１０、図１３、図１７ないし図１９を用いて説明する。図１７は図１３に示すＧ部をＺ１方向側から見た内壁部７ｂ、コイル４および磁石３の位置関係を示す模式図である。図１８は第１実施形態におけるレンズ保持部材１が上方へ移動した状態のレンズ駆動装置１００を示す模式断面図である。図１９は第１実施形態におけるレンズ保持部材１が下方へ移動した状態のレンズ駆動装置１００を示す模式断面図である。なお、図１８および図１９においては、初期状態におけるレンズ保持部材１、コイル４、上側板ばね５および下側板ばね６を破線で示している。
【００３７】
レンズ駆動装置１００において、上側板ばね５はレンズ保持部材１を上方側に付勢していると共に、下側板ばね６はレンズ保持部材１を下方側に付勢している。そのため、電力が供給されていない状態、すなわち、コイル４に電流を通電しない初期状態において、図１０に示すように、レンズ保持部材１を下方へ付勢する下側板ばね６の付勢力と、レンズ保持部材１を上方へ付勢する上側板ばね５の付勢力と、が釣り合う位置にレンズ保持部材１は位置している。なお、レンズ保持部材１は、下側板ばね６の付勢力および上側板ばね５の付勢力に抗して上下方向（Ｚ１−Ｚ２方向）に移動可能である。すなわち、付勢部材３０が、レンズ保持部材１を光軸方向ＬＤへ移動可能に支持している。
【００３８】
内壁部７ｂ、磁石３及びコイル４を有して構成され、レンズ保持部材１を光軸方向ＬＤに沿って移動させる移動機構５０は、図１３および図１７に示すように、同一直線上に内壁部７ｂ、コイル４、磁石３の順番に配置されている。レンズ駆動装置１００には、第１接続端子部９ｃ（図９参照）および第２接続端子部９ｄ（図９参照）を介して電力を供給することができ、電力が供給されるとコイル４に電流が流れる。また、磁石３の磁界の向きは、図１７に示す矢印Ｍの方向とする。移動機構５０においては、磁石３とコイル４とは対向する位置に配置されている、すなわち磁石３の磁界の中にコイル４が配置されているため、コイル４に電流が流れると、コイル４にはローレンツ力が働く。
【００３９】
レンズ駆動装置１００に電力が供給され、例えば、図１７に示す矢印Ｋの方向に電流が流れた場合、コイル４には、図１３に示すＺ１方向のローレンツ力が働き、コイル４と一体となったレンズ保持部材１は、図１８に示すように、下側板ばね６の付勢力に抗して上方向（Ｚ１方向）に移動する。
【００４０】
また、図１７に示す矢印Ｌの方向に電流が流れた場合、コイル４には、図１３に示すＺ２方向のローレンツ力が働き、レンズ保持部材１は、図１９に示すように、上側板ばね５の付勢力に抗して下方向（Ｚ２方向）に移動する。
【００４１】
このようにコイル４に流す電流の向きを変えることで、レンズ保持部材１を光軸方向ＬＤに沿って動作させることができる。なお、実際には、開口部１ｇに図示しないレンズ体が固定され、レンズ保持部材１をレンズ体と一体に動作させることができる。
【００４２】
以下、本実施形態としたことによる効果について説明する。
【００４３】
本実施形態のレンズ駆動装置１００では、レンズ体を保持可能な筒状のレンズ保持部材１と、レンズ保持部材１を収容する筐体７を含む固定側部材２と、レンズ保持部材１を光軸方向へ移動可能に支持する付勢部材３０と、レンズ保持部材１を光軸方向に沿って移動させる少なくとも磁石３及びコイル４を有して構成される移動機構５０とを備え、付勢部材３０は、レンズ保持部材１の上部に固定される上側板ばね５と下部に固定される下側板ばね６とからなり、上側板ばね５は、レンズ保持部材１に固定される第１部分（上側第１部分）５ａと、固定側部材２に固定される第２部分（上側第２部分）５ｂと、上側第１部分５ａと上側第２部分５ｂとの間に位置する上側弾性腕部５ｃとを有するレンズ駆動装置において、上側板ばね５の上側第１部分５ａには貫通孔５ｆが設けられており、レンズ保持部材１には、上側板ばね５を載置する載置面１ａと、載置面１ａに対して凹形状に形成され貫通孔５ｆと対向する凹部１ｂと、凹部１ｂから突出し貫通孔５ｆに挿通される突出部１ｃとを備えた固定部１ｄが設けられており、凹部１ｂに充填された接着剤ＧＬが、突出部１ｃの周囲に設けられると共に、接着剤ＧＬの一部が貫通孔５ｆを介して上側板ばね５の上側第１部分５ａの上面に位置しており、接着剤ＧＬにより上側板ばね５がレンズ保持部材１に固定されている、構成とした。
【００４４】
これにより、凹部１ｂに充填された接着剤ＧＬと貫通孔５ｆを介して上側板ばね５の上側第１部分５ａの上面に位置する接着剤ＧＬとにより上側板ばね５を接着することで、上側板ばね５は下面、貫通孔５ｆの内面および上側板ばね５の上面を接着剤ＧＬにより保持されるため、落下などによる衝撃が加わったとしても接着は剥がれ難くなっている。また、貫通孔５ｆに挿通される突出部１ｃを、レンズ保持部材１の固定部１ｄに設けることによって、突出部１ｃの周囲に充填された接着剤ＧＬを突出部１ｃで保持することができるため、接着剤ＧＬが上側第１部分５ａの上面に回りやすくなる。したがって、上側板ばね５とレンズ保持部材１との接着が剥がれ難いレンズ駆動装置を提供することができる、という効果を奏する。
【００４５】
また、本実施形態のレンズ駆動装置１００では、上側板ばね５の上側第１部分５ａと、レンズ保持部材１の固定部１ｄとが、突出部１ｃが貫通孔５ｆに挿通された状態で接着されるので、接着剤ＧＬが突出部１ｃを伝って上側第１部分５ａの上面に回りやすくなるとともに、接着剤ＧＬが上側第１部分５ａの上面のある一方向に集中して流れることなく、より多方向へ均一に流れやすくなるという効果を奏する。
【００４６】
また、本実施形態のレンズ駆動装置１００では、貫通孔５ｆは、非円形状をなしている、構成とした。
【００４７】
これにより、貫通孔５ｆが非円形状をしているので、接着剤ＧＬとの接着面積を円形状の場合よりも大きくできることから、より強固な接着固定が可能となる。
【００４８】
また、本実施形態のレンズ駆動装置１００では、貫通孔５ｆの開口形状は、一部が開口の内側に向かって突出した形状に形成されている。このような開口形状とすることで、開口の内側に向かって突出した部分（以下、突起部とする）が接着剤ＧＬの上に被せられると、突起部が押しつぶした接着剤ＧＬは突起部の側方から上面側に流れ、突起部が接着剤ＧＬにより覆われやすくなる。これにより、接着面積が大きくなるとともに、貫通孔５ｆを介して上側板ばね５の上側第１部分５ａの上面に位置する接着剤ＧＬにより突起部が覆われた状態で接着されやすくなり、より強固な接着固定が可能となる。
【００４９】
また、本実施形態のレンズ駆動装置１００では、レンズ保持部材１には、固定部１ｄを有する台部１ｅが突出して形成されており、上側板ばね５の上側第１部分５ａと上側弾性腕部５ｃとの境界部が、台部１ｅの外縁部に対応した位置に設けられている、構成とした。
【００５０】
これにより、上側板ばね５の上側第１部分５ａと上側弾性腕部５ｃとの境界部が、台部１ｅの外縁部に対応した位置に設定することで、上側弾性腕部５ｃが動作するときに、上側弾性腕部５ｃと台部１ｅとが接触し、上側弾性腕部５ｃの動作が規制され難くなり、機能が損なわれることがなくなる。これにより、ばらつきの少ない付勢力を得ることが可能となり、動作の安定したレンズ駆動装置を提供することができる、という効果を奏する。
【００５１】
また、本実施形態のレンズ駆動装置１００では、凹部１ｂは、上側弾性腕部５ｃ側に向かって延在する延在部１ｆを有すると共に、貫通孔５ｆは、延在部１ｆに対向する縁部５ｅを有して形成されており、延在部１ｆに充填された接着剤ＧＬが、縁部５ｅに沿って位置する上側第１部分５ａの上面および下面に設けられている、構成とした。
【００５２】
これにより、凹部１ｂに延在部１ｆを設けるとともに貫通孔５ｆに延在部１ｆに対向する縁部５ｅを設けたことで、接着剤ＧＬが充填された延在部１ｆの一部に重ねて縁部５ｅを配置したときに、縁部５ｅの近傍に位置する上側第１部分５ａによって押しつぶされた接着剤ＧＬが縁部５ｅを含めた上側第１部分５ａの上面側に回りこみやすくなる。また、縁部５ｅを設けることで接着面積を大きくすることができる。したがって、上側第１部分５ａは接着面積が大きくなるとともに上面および下面を接着剤ＧＬにより保持されるため、上側第１部分５ａの端部を確実にレンズ保持部材１の固定部１ｄに接着でき、上側弾性腕部５ｃの根本に位置する部分が固定される。これにより、上側弾性腕部５ｃの動作に伴う上側第１部分５ａの浮き上がりがなくなるため、上側第１部分５ａの浮き上がりによる付勢力のばらつき発生を防止することができる。したがって、さらにばらつきの少ない付勢力を得ることが可能となり、さらに動作の安定したレンズ駆動装置を提供することができる、という効果を奏する。
【００５３】
また、本実施形態のレンズ駆動装置１００では、コイル４に電流を通電しない初期状態において、上側板ばね５はレンズ保持部材１を上方側に付勢していると共に、下側板ばね６はレンズ保持部材１を下方側に付勢している、構成とした。
【００５４】
これにより、初期状態において、レンズ保持部材１は上側板ばね５の付勢力と下側板ばね６の付勢力とが釣り合った位置に保持される。レンズ保持部材１がこのように保持されることで、レンズ保持部材１は初期状態における位置から、光軸方向のどちらの方向にも移動可能である。したがって、レンズ駆動装置１００が取り付けられた電子機器を用いて撮影する際に、初期状態からのレンズ保持部材１の移動量を少なくして、焦点を合わせることができる。
【００５５】
また、本実施形態のレンズ駆動装置１００では、上側第１部分５ａをレンズ保持部材１の載置面１ａ（固定部１ｄ、図４参照）に接着した接着剤ＧＬは、切り欠き部７ｇを介して上方に向かって開放された位置に配置されている構成とした。
【００５６】
これにより、紫外線硬化型接着剤である接着剤ＧＬに、組立時に、容易に紫外線を照射して接着剤ＧＬを硬化させることができる。また、接着剤ＧＬの塗布状態を容易に確認できるとともに、確認の結果、接着剤ＧＬの塗布量が足りない場合には、接着剤ＧＬを補充することもできる、という効果を奏する。
【００５７】
以上のように、本発明の実施形態に係るレンズ駆動装置を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５８】
［変形例１］
第１実施形態において、レンズ駆動装置１００は、上側板ばね５はレンズ保持部材１を上方側に付勢していると共に、下側板ばね６はレンズ保持部材１を下方側に付勢し、初期状態においてレンズ保持部材１は上側板ばね５の付勢力と下側板ばね６の付勢力とが釣り合った位置に配置される構成としたが、上側板ばね５および下側板ばね６はレンズ保持部材１を下方に付勢し、初期状態においてレンズ保持部材１はベース部材８に接触した状態で保持される構造であってもよい。なお、上側板ばね５および下側板ばね６はレンズ保持部材１を上方に付勢する構造であっても良い。
【００５９】
［変形例２］
第１実施形態において、移動機構５０を磁石３、コイル４、およびヨークとしての筐体７で構成しているが、移動機構５０を磁石３およびコイル４とで構成しても良い。
【００６０】
［変形例３］
第１実施形態において、接着剤ＧＬは紫外線硬化型接着剤であるとしたが、紫外線硬化型接着剤以外の接着剤であっても良い。
【符号の説明】
【００６１】
１      レンズ保持部材
１ａ    載置面
１ｂ    凹部
１ｃ    突出部
１ｄ    固定部
１ｅ    台部
１ｆ    延在部
１ｇ    開口部
１ｈ    筒状部
１ｋ    上側板ばね配置部
１ｍ    鍔部
１ｎ    下側保持突起
１ｐ    巻回用突起
１ｑ    コイル保持部
１ｒ    規制突起
２      固定側部材
３      磁石
３ａ    第１面
３ｂ    第２面
３ｃ    第３面
４      コイル
４ａ    巻回部
４ｂ    端部
５      上側板ばね
５ａ    上側第１部分（第１部分）
５ｂ    上側第２部分（第２部分）
５ｃ    上側弾性腕部（弾性腕部）
５ｄ    基部
５ｅ    縁部
５ｆ    貫通孔
５ｇ    切り欠き部
５ｈ    固定部
６      下側板ばね
６Ａ    第１部材
６Ｂ    第２部材
６ａ    下側第１部分
６ｂ    下側第２部分
６ｃ    下側弾性腕部
６ｄ    第１保持部
６ｅ    第２保持部
６ｆ    第１保持孔
６ｇ    第３保持部
６ｈ    桟部
６ｋ    第２保持孔
７      筐体
７ａ    外壁部
７ｂ    内壁部
７ｃ    天板部
７ｄ    角部
７ｅ    貫通孔部
７ｆ    突起部
７ｇ    切り欠き部
８      ベース部材
８ａ    開口孔部
８ｂ    取り付け突起
８ｃ    載置部
９      金属部材
９ａ    第１接続面部
９ｂ    第２接続面部
９ｃ    第１接続端子部
９ｄ    第２接続端子部
９ｅ    保持部
３０    付勢部材
５０    移動機構
１００  レンズ駆動装置
ＧＬ    接着剤
ＬＤ    光軸方向
ＳＤ    半田
ＷＰ    溶接
【図１】
2018101152.tif 000003
【図２】
2018101152.tif 000004
【図３】
2018101152.tif 000005
【図４】
2018101152.tif 000006
【図５】
2018101152.tif 000007
【図６】
2018101152.tif 000008
【図７】
2018101152.tif 000009
【図８】
2018101152.tif 000010
【図９】
2018101152.tif 000011
【図１０】
2018101152.tif 000012
【図１１】
2018101152.tif 000013
【図１２】
2018101152.tif 000014
【図１３】
2018101152.tif 000015
【図１４】
2018101152.tif 000016
【図１５】
2018101152.tif 000017
【図１６】
2018101152.tif 000018
【図１７】
2018101152.tif 000019
【図１８】
2018101152.tif 000020
【図１９】
2018101152.tif 000021
【図２０】
2018101152.tif 000022